(57)【要約】【課題】タンクカバーの意匠性の向上と製造コストの低廉化とを実現可能な便器洗浄装置を提供する。【解決手段】便器洗浄装置１０は、洗浄装置本体２０とタンクカバー３０とを備える。洗浄装置本体２０は、洗浄タンク２１及び本体側コネクタ２９を有し、洋風便器本体９０に載置される。タンクカバー３０は洗浄タンク２１を隠蔽すべく洗浄装置本体２０に組付され、本体側コネクタ２９と接続可能な別体側コネクタ４９を有する。洗浄装置本体２０にタンクカバー３０が組付される位置より高い位置にタンクカバー３０を支持可能なように、タンクカバー３０の下端３４と凹部５１、５２、５３、５４とがあり、下端３４と凹部５１、５２、５３、５４とで支持されたタンクカバー３０は、下端３４から本体側コネクタ２９及び別体側コネクタ４９を露出するように構成されている。【選択図】図３
2006144459.tif 000002
【特許請求の範囲】
【請求項１】
洗浄タンク及び本体側コネクタを有し、洋風便器本体に載置される洗浄装置本体と、
該洗浄タンクを隠蔽すべく該洗浄装置本体に組付され、該本体側コネクタと接続可能な別体側コネクタを有するタンクカバーとを備えた便器洗浄装置において、
前記洗浄装置本体及び前記タンクカバーの少なくとも一方は、該洗浄装置本体に該タンクカバーが組付される位置より高い位置に該タンクカバーを支持可能な仮置き手段を有し、
該仮置き手段で支持された該タンクカバーは、下端から前記本体側コネクタ及び前記別体側コネクタを露出するように構成されていることを特徴とする便器洗浄装置。
【請求項２】
前記仮置き手段は、前記タンクカバーの水平方向のずれを防止可能に構成されていることを特徴とする請求項１記載の便器洗浄装置。
【請求項３】
前記洗浄装置本体は垂直に延びる隔壁を有し、前記仮置き手段の少なくとも一部は、該隔壁の上面に形成され、両側に突起を有して前記タンクカバーの下端を嵌合する凹部であることを特徴とする請求項２記載の便器洗浄装置。
【請求項４】
前記洗浄装置本体は脱臭ユニットを有し、前記仮置き手段の少なくとも一部は、該脱臭ユニットの上面に形成され、両側に突起を有して前記タンクカバーの下端を嵌合する凹部であることを特徴とする請求項２又は３記載の便器洗浄装置。
【請求項５】
前記洗浄装置本体は前記本体側コネクタを保持していることを特徴とする請求項１乃至４のいずれか１項記載の便器洗浄装置。
【請求項６】
前記タンクカバーは暖房便座を揺動可能に軸支していることを特徴とする請求項１乃至５のいずれか１項記載の便器洗浄装置。
【発明の詳細な説明】
【技術分野】
【０００１】
本発明は便器洗浄装置に関する。
【背景技術】
【０００２】
特許文献１に従来の便器洗浄装置を備えた洋風水洗式便器が開示されている。この洋風水洗式便器は洋風便器本体と便器洗浄装置とを備えており、便器洗浄装置は洗浄装置本体とタンクカバーとを備えている。
【０００３】
洗浄装置本体は洋風便器本体に載置されている。この洗浄装置本体は、洗浄水を貯留する洗浄タンクを有し、洗浄水をその洋風便器本体の便鉢内に吐出して便鉢を洗浄するものである。洗浄装置本体は、電源に接続される基板やモータ等を有しているとともに、本体側コネクタも有している。
【０００４】
また、タンクカバーは洗浄タンクを隠蔽すべく洗浄装置本体に組付されるものである。この文献に開示されたタンクカバーは、洗浄タンクの周囲の全域を上方から覆蓋できる一体型に成形されている。このタンクカバーには、暖房便座及び便蓋が揺動可能に軸支されているとともに、リモコンからの光信号を受光する遠隔操作用受光部が設けられている。暖房便座には、暖房を実現する電気ヒータと、暖房便座への着座を検知するための着座センサとが内蔵されている。このため、タンクカバーは、これら電気ヒータ、着座センサ、遠隔操作用受光部等に通電を行うため、洗浄装置本体の本体側コネクタと接続される別体側コネクタを有している。
【０００５】
タンクカバーの上面には内部に連通する作業口が貫設されており、この作業口には防水のためのパッキンを介して蓋部材が設けられるようになっており、蓋部材はタンクカバーにねじにより固定されるようになっている。タンクカバーの別体側コネクタはその作業口から引き出され得るように配設されており、洗浄装置本体の本体側コネクタは、タンクカバーが洗浄装置本体に組付された後にその作業口から引き出され得るように配設されている。
【０００６】
このような構成である従来の便器洗浄装置は、タンクカバーが洗浄装置本体に組付された後、本体側コネクタと別体側コネクタとがタンクカバーの作業口から引き出されて接続され、最後に作業口にパッキンを介して蓋部材が取り付けられることにより完成する。また、メンテナンスされた後においても同様に完成される。
【０００７】
こうして完成した従来の便器洗浄装置は、洋風水洗式便器の洗浄機能を発揮することに加えて、洋風便器本体と一体感を有した意匠的に優れた外観を呈することが可能となっている。
【０００８】
【特許文献１】特開平１１−１５８９８０号公報
【発明の開示】
【発明が解決しようとする課題】
【０００９】
しかし、上記従来の便器洗浄装置は、タンクカバーの上面に作業口が設けられていたため、タンクカバーの上面をさらに小型化することが困難であった。このため、タンクカバーの形状設計の自由度が限られ、タンクカバーの意匠性を向上させることが困難であった。
【００１０】
また、この便器洗浄装置は、作業口を密閉するために、パッキン、蓋部材及びねじが必要であったため、それらの分だけ製造コストが高くならざるを得なかった。
【００１１】
本発明の便器洗浄装置は、上記従来の実情に鑑みてなされたものであって、タンクカバーの意匠性の向上と製造コストの低廉化とを実現可能な便器洗浄装置を提供することを解決すべき課題としている。
【課題を解決するための手段】
【００１２】
本発明の便器洗浄装置は、洗浄タンク及び本体側コネクタを有し、洋風便器本体に載置される洗浄装置本体と、
該洗浄タンクを隠蔽すべく該洗浄装置本体に組付され、該本体側コネクタと接続可能な別体側コネクタを有するタンクカバーとを備えた便器洗浄装置において、
前記洗浄装置本体及び前記タンクカバーの少なくとも一方は、該洗浄装置本体に該タンクカバーが組付される位置より高い位置に該タンクカバーを支持可能な仮置き手段を有し、
該仮置き手段で支持された該タンクカバーは、下端から前記本体側コネクタ及び前記別体側コネクタを露出するように構成されていることを特徴とする。
【００１３】
このような構成である本発明の便器洗浄装置は、下記の手順により、洗浄装置本体にタンクカバーが組み付けられる。
【００１４】
まず、作業者がタンクカバーを保持し、洗浄タンクを覆蓋するようにタンクカバーを下降させる。そして、洗浄装置本体にタンクカバーが組付される位置より高い位置にタンクカバーを支持可能な仮置き手段により、タンクカバーを支持させる。
【００１５】
この際、仮置き手段で支持されたタンクカバーは、下端から本体側コネクタ及び別体側コネクタを露出するように構成されているので、作業者は、タンクカバーの下方において、本体側コネクタと別体側コネクタとを接続することができる。
【００１６】
この後、作業者は、仮置き手段によるタンクカバーの支持を解除して、タンクカバーを再度保持し、洗浄装置本体に組付する。こうしてタンクカバーの組み付けが完了する。
【００１７】
このようにして完成した本発明の便器洗浄装置は、洋風水洗式便器の洗浄機能を発揮することに加えて、洋風便器本体と一体感を有した意匠的に優れた外観を呈することができる。
【００１８】
ここで、本発明の便器洗浄装置は、タンクカバーの下方で本体側コネクタと別体側コネクタとを接続することができるので、タンクカバーの上面に本体側コネクタと別体側コネクタとを接続するための従来のような作業口が設けられる必要がない。このため、タンクカバーの上面をさらに小型化することが可能となり、タンクカバーの形状設計の自由度が増すこととなる。
【００１９】
また、本発明の便器洗浄装置は、従来のような作業口を密閉するためのパッキン、蓋部材及びねじも不要となるため、それらの分だけ製造コストを低廉化することができる。
【００２０】
したがって、本発明の便器洗浄装置は、タンクカバーの意匠性の向上と製造コストの低廉化とを実現することができる。
【００２１】
タンクカバーは、洗浄タンクを隠蔽すべく洗浄装置本体に組付されるものであれば、どのようなものでもよい。特に、タンクカバーが洗浄タンクの周囲の全域を上方から覆蓋できる一体型に成形されているものである場合には、本発明の効果を顕著に享受することとなる。
【００２２】
仮置き手段としては、洗浄装置本体にタンクカバーが組付される位置より高い位置にタンクカバーを支持可能であることと、仮置き手段で支持されたタンクカバーが下端から本体側コネクタ及び別体側コネクタを露出するように構成されていることとを満たすものであれば、どのような構成であっても構わない。例えば、仮置き手段は、洗浄装置本体又はタンクカバーのどちらか一方に設けられてもよく、洗浄装置本体及びタンクカバーの双方に設けられてもよい。また、仮置き手段として、洗浄装置本体を構成する筐体や部品等の一部を利用することができる。具体的には、垂直軸を中心にタンクカバーを所定の角度に回転させた上で、洗浄装置本体の外郭よりも内側にある隔壁や部品等の高い領域の一部を利用した仮置き手段により、タンクカバーの下端を支持させることができる。この場合には、仮置き手段は、既存の筐体や部品等の形状変更等の簡易な変更で対応可能である。
【００２３】
また、仮置き手段として、洗浄装置本体の側面に出没可能な突起、ピン等を設けて、タンクカバーを支持させるものや、タンクカバーの下端に伸縮可能な支持脚を設けるもの等を採用することもできる。
【００２４】
本発明の便器洗浄装置において、前記仮置き手段は、前記タンクカバーの水平方向のずれを防止可能に構成され得る。この場合、タンクカバーの下端が仮置き手段から外れて、タンクカバーが落下することを防止できる。このため、作業者は、タンクカバーの下方において、本体側コネクタと別体側コネクタとを接続する作業をより安全に実施することができる。
【００２５】
洗浄装置本体が垂直に延びる隔壁を有する場合、仮置き手段の少なくとも一部は、該隔壁の上面に形成され、両側に突起を有して前記タンクカバーの下端を嵌合する凹部とされ得る。この場合、仮置き手段の少なくとも一部は、洗浄装置本体の隔壁の一部の簡易な形状変更によって形成されたものとされる。このため、この便器洗浄装置は、仮置き手段として新たな部材を製造し、設置する必要が無く、製造コストの現状維持が可能となる。
【００２６】
また、洗浄装置本体が脱臭ユニットを有する場合、仮置き手段の少なくとも一部は、該脱臭ユニットの上面に形成され、両側に突起を有して前記タンクカバーの下端を嵌合する凹部とされ得る。この場合、仮置き手段の少なくとも一部は、脱臭ユニットの上面の簡易な形状変更によって形成されたものとされる。このため、この便器洗浄装置は、仮置き手段として新たな部材を製造し、設置する必要が無く、製造コストの現状維持が可能となる。
【００２７】
本発明の便器洗浄装置において、前記洗浄装置本体は前記本体側コネクタを保持し得る。この場合、タンクカバーの下方において、本体側コネクタと別体側コネクタとを接続する際に、作業者は、本体側コネクタを保持する必要がない。このため、作業者は、タンクカバーの下方において本体側コネクタと別体側コネクタとを接続する作業を一層容易に実施することができる。
【００２８】
洗浄装置本体に本体側コネクタを保持させる方法としては、どのようなものでも構わないが、例えば、既存の筐体や部品等の一部にコネクタを嵌め込む穴を設ける等の簡易な形状変更等で対応可能である。
【００２９】
本発明の便器洗浄装置において、前記タンクカバーは暖房便座を揺動可能に軸支し得る。この場合、タンクカバーは、暖房便座に内蔵される電気ヒータを有するとともに、暖房便座の重量が加わって重くなる。このため、本発明の便器洗浄装置の効果をより一層享受することとなる。
【発明を実施するための最良の形態】
【００３０】
以下、本発明を具体化した実施例１を図面を参照しつつ説明する。
【実施例１】
【００３１】
図１に示すように、実施例１の便器洗浄装置１０は洋風便器本体９０とともに洋風水洗式便器１を構成している。この便器洗浄装置１０は洗浄装置本体２０とタンクカバー３０とを備えている。
【００３２】
洗浄装置本体２０は洋風便器本体９０に載置されている。この洗浄装置本体２０は、図２及び図３に示すように、洗浄水を貯留する洗浄タンク２１を有し、洗浄水をその洋風便器本体９０の便鉢９１内に吐出して便鉢９１を洗浄できるようになっている。
【００３３】
また、洗浄装置本体２０の後方には、洗浄タンク２１の下端を覆うように囲み、垂直に延びる隔壁２２が設けられている。また、洗浄装置本体２０の前方には、使用者の局部を洗浄するための局部洗浄ノズル２３、脱臭剤を収納して洋風水洗式便器１廻りの脱臭を行なう脱臭ユニット２４等が設置されている。洗浄タンク２１の前面には、局部洗浄ノズル２３や脱臭ユニット２４等と接続され、電源に接続される図示しない基板が設けられている。そして、洗浄装置本体２０は、この基板に接続コード２９ａによって繋がる本体側コネクタ２９を有している。この本体側コネクタ２９は、隔壁２２の一部に一体に形成されたブラケット２７に嵌め込まれるようにして保持されている。
【００３４】
タンクカバー３０は、洗浄タンク２１を上方から隠蔽すべく洗浄装置本体２０に組付されるものであり、洗浄タンク２１の周囲の全域を上方から覆蓋できる一体型に成形されている。タンクカバー３０の上面３５には手洗鉢４８が載置されており、手洗鉢４８には水を吐出可能な吐水口４７が設けられている。手洗鉢４８の図示しない排水口はタンクカバー３０の上面３５に形成された開口３６と連通しており、開口３６を経た水が洗浄タンク２１に供給されるようになっている。タンクカバー３０の上面３５は、洗浄タンク２１を覆蓋できる限界で小型化されている。他方、タンクカバー３０の下方には底面がなく、タンクカバー３０の下端３４が洗浄装置本体２０の外郭２５に当接することができるように構成されている。
【００３５】
このタンクカバー３０の前面下端には暖房便座４１及び便蓋４２が揺動可能に軸支され、タンクカバー３０の前面上端には図示しないリモコンからの光信号を受光する遠隔操作用受光部４３が設けられている。暖房便座４１には、暖房を実現する図示しない電気ヒータと、暖房便座４１への着座を検知するための図示しない着座センサとが内蔵されている。このため、タンクカバー３０は、これら電気ヒータ、着座センサ、遠隔操作用受光部４３等に通電を行うため、洗浄装置本体２０の本体側コネクタ２９と接続されるべき別体側コネクタ４９を有している。別体側コネクタ４９は、タンクカバー３０の下端３４から引き出し得るように充分に長くされた接続コード４９ａの先端に設けられている。なお、タンクカバー３０は、上記以外に使用状態の表示部や便器自動洗浄用の人感知センサ等を備え得る。また、暖房便座４１及び便蓋４２は、上記以外に自動開閉機構や位置検出センサーを備え得る。
【００３６】
図４及び図５に示すように、洗浄装置本体２０の隔壁２２の一方の側面の上端には、両側に突起５１ａ、５１ｂを有する凹部５１が形成されている。また、隔壁２２の他方の側面の上端には、両側に突起５３ａ、５３ｂを有する凹部５３が形成されている。さらに、隔壁２２の後面の上端には、両側に突起５２ａ、５２ｂを有する凹部５２が形成されている。また、脱臭ユニット２４の上面には、両側に突起５４ａ、５４ｂを有する凹部５４が上方に突き出すように一体に形成されている。
【００３７】
凹部５１、５２、５３、５４は、洗浄装置本体２０の底面から約８ｃｍの高さにそろえられているともに、洗浄装置本体２０の外郭２５よりも内側に設けられている。特に、凹部５１、５２、５３、５４は、タンクカバー３０を垂直軸を中心に洗浄タンク２１に干渉しない程度で所定の角度に回転させた場合、そのタンクカバー３０の下端３４を支持することができる場所に配置されている。
【００３８】
こうして、タンクカバー３０の下端３４と凹部５１、５２、５３、５４とは、洗浄装置本体２０にタンクカバー３０が組付される位置より高い位置にタンクカバー３０を支持可能な仮置き手段を構成している。すなわち、凹部５１、５２、５３、５４は、下端３４から本体側コネクタ２９及び別体側コネクタ４９を露出する高さにおいて、タンクカバー３０の下端３４と支持可能になっている。また、下端３４と凹部５１、５２、５３、５４とは、突起５１ａ、５１ｂ、５２ａ、５２ｂ、５３ａ、５３ｂ、５４ａ、５４ｂにより、タンクカバー３０の水平方向のずれを防止可能になっている。つまり、凹部５１、５２、５３、５４は、タンクカバー３０の下端３４と嵌合するように構成されている。
【００３９】
このような構成である実施例１の便器洗浄装置１０は、図３及び図５に示すように、工場内において下記の手順が行われて洗浄装置本体２０にタンクカバー３０が組み付けられ、完成する。
【００４０】
まず、作業者がタンクカバー３０を保持し、図３に示すように、洗浄タンク２１を覆蓋するようにタンクカバー３０を上方から下降させる。そして、図５（ａ）に示すように、作業者は、垂直軸を中心として、洗浄タンク２１に干渉しない程度の所定の角度にタンクカバー３０を回転させ、そのタンクカバー３０の下端３４を凹部５１、５２、５３、５４に嵌合させる。この結果、タンクカバー３０は、図５（ｂ）に示すように、下端３４と凹部５１、５２、５３、５４とによって、洗浄装置本体２０にタンクカバー３０が組付される位置より高い位置に支持される。
【００４１】
この際、下端３４と凹部５１、５２、５３、５４とで支持されたタンクカバー３０は、下端３４から本体側コネクタ２９及び別体側コネクタ４９を露出させているので、作業者は、そのタンクカバー３０の下方において、別体側コネクタ４９に本体側コネクタ２９を容易に接続することができる。このため、この便器洗浄装置１０は、タンクカバー３０の上面３５に本体側コネクタ２９と別体側コネクタ４９とを接続するための従来のような作業口が設けられる必要がない。このため、タンクカバー３０の上面３５をさらに小型化することが可能となっており、タンクカバー３０の形状設計の自由度が増しているのである。
【００４２】
特に、この便器洗浄装置１０では、洗浄装置本体１０が本体側コネクタ２９をブラケット２７により保持しているため、タンクカバー３０の下方において、本体側コネクタ２９と別体側コネクタ４９とを接続する際に、作業者は、別体側コネクタ４９を片手で保持するだけでよく、本体側コネクタ２９を保持する必要がない。このため、作業者は、タンクカバー３０の下方において本体側コネクタ２９と別体側コネクタ４９とを接続する作業を一層容易に実施することができる。
【００４３】
この間、この便器洗浄装置１０において、下端３４及び凹部５１、５２、５３、５４は、タンクカバー３０の水平方向のずれを防止する突起５１ａ、５１ｂ、５２ａ、５２ｂ、５３ａ、５３ｂ、５４ａ、５４ｂを有しているので、タンクカバー３０の下端３４が凹部５１、５２、５３、５４から外れて、タンクカバー３０が落下することを防止できる。このため、作業者は、タンクカバー３０の下方において、本体側コネクタ２９と別体側コネクタ４９とを接続する作業をより安全に実施することができる。
【００４４】
この後、作業者は、下端３４と凹部５１、５２、５３、５４とによるタンクカバー３０の支持を解除して、タンクカバー３０を再度保持し、垂直軸を中心にタンクカバー３０を回転させて本来の姿勢に戻した後、洗浄装置本体２０に組付する。こうしてタンクカバー３０の組み付けが完了する。
【００４５】
このようにして、タンクカバー３０が組み付けられた実施例１の便器洗浄装置１０は、図１及び図２に示すように、洋風便器本体９０に載置され、さらにタンクカバー３０の上面３５に手洗鉢４８が載置されることにより、洋風水洗式便器１を構成する。また、洋風水洗式便器１のメンテナンスを行った後においても、洗浄装置本体２０へのタンクカバー３０の組み付けを同様に完了することができる。
【００４６】
特に、この便器洗浄装置１０において、タンクカバー３０は暖房便座４１を揺動可能に軸支しているため、タンクカバー３０は、暖房便座４１に内蔵される図示しない電気ヒータを有するとともに、暖房便座４１の重量が加わって重くなっている。このため、この便器洗浄装置１０の効果をより一層享受することとなっている。
【００４７】
こうして、実施例１の便器洗浄装置１０は、洋風水洗式便器１の洗浄機能を発揮する。それに加えて、実施例１の便器洗浄装置１０は、洋風便器本体９０と一体感を有した意匠的に優れた外観を呈する。
【００４８】
また、この便器洗浄装置１０は、従来のような作業口を密閉するためのパッキン、蓋部材及びねじも不要となっているため、それらの分だけ製造コストを低廉化することができているのである。
【００４９】
したがって、実施例１の便器洗浄装置１０は、タンクカバー３０の意匠性の向上と製造コストの低廉化とを実現することができている。
【００５０】
また、この便器洗浄装置１０において、仮置き手段は、洗浄装置本体の隔壁の上面及び脱臭ユニットの上面の簡易な形状変更により形成されているので、製造コストを現状維持することができている。
【００５１】
以上において、本発明を実施例１に即して説明したが、本発明は上記実施例１に制限されるものではなく、その趣旨を逸脱しない範囲で適宜変更して適用できることはいうまでもない。
【産業上の利用可能性】
【００５２】
本発明は便器洗浄装置に利用可能である。
【図面の簡単な説明】
【００５３】
【図１】実施例１の便器洗浄装置を備えた洋風水洗式便器の概略斜視図である。
【図２】実施例１の便器洗浄装置を備えた洋風水洗式便器の組み付け前の状態を示す概略斜視図である。
【図３】実施例１の便器洗浄装置を備えた洋風水洗式便器に係り、タンクカバーを洗浄装置本体に組み付ける過程を示す概略斜視図である。
【図４】実施例１の便器洗浄装置に係り、洗浄装置本体を示す概略斜視図である。
【図５】実施例１の便器洗浄装置を備えた洋風水洗式便器に係り、（ａ）は、タンクカバーを洗浄装置本体に組み付ける過程を示す概略上面図であり、（ｂ）は、タンクカバーを洗浄装置本体に組み付ける過程を示す概略側面図である。
【符号の説明】
【００５４】
１０…便器洗浄装置
２０…洗浄装置本体
２１…洗浄タンク
３０…タンクカバー
２９…本体側コネクタ
４１…暖房便座
４９…別体側コネクタ
３４、５１、５２、５３、５４…仮置き手段（３４…タンクカバーの下端、５１、５２、５３、５４…凹部）
５１ａ、５１ｂ、５２ａ、５２ｂ、５３ａ、５３ｂ、５４ａ、５４ｂ…突起
９０…洋風便器本体
【図１】
2006144459.tif 000003
【図２】
2006144459.tif 000004
【図３】
2006144459.tif 000005
【図４】
2006144459.tif 000006
【図５】
2006144459.tif 000007